(57)【要約】【課題】インプラントに加わる咬合力に対して堅固に支持し、外圧をより一層効果的に固定体内の全面に分散させて緩衝効果を極大化し、一部に応力が集中することを防止する歯科用インプラントを提供する。【解決手段】本発明は人工歯牙に係わる歯科用インプラントに関するもので、上部に軸孔を有し、顎骨に植え立てられる固定体と、前記固定体の軸孔に挿入されて前記固定体と弾性的に結合される下側締結軸部及び補綴物が装着される上部装着部からなるアバットメントとを含む歯科用インプラントであって、前記アバットメントの下側締結軸部が少なくとも２本の締結脚からなり、内部に切開部が形成された緩衝部と、前記緩衝部の外面に形成された締結部と、外力による締結軸部の過度な撓みを制限するように、前記締結脚の内側方向に突出し、前記締結部内の切開部の間隔（ｄ２）より狭い切開部の間隔（ｄ１）を有する変形制御部とを含む歯科用インプラントを提供する。本発明によれば、インプラントが施術された後には、外圧によって変形制御部が締結軸の過度な撓みを制限して、固定体の軸孔内での締結軸の締結力が大きく増大し、結果的に安定的に固定され、締結軸を介して外圧を充分に分散させることにより、アバットメントと締結脚の連結部に無理な力が加わらなくてインプラントの耐久性を向上させるとともに使用寿命を大きく延ばすことができる効果が得られる。
2016520368.tif 000002
【特許請求の範囲】
【請求項１】
上部に軸孔を有し、顎骨に植え立てられる固定体と、前記固定体の軸孔に挿入されて前記固定体と弾性的に結合される下側締結軸部及び補綴物が装着される上部装着部からなるアバットメントとを含む歯科用インプラントであって、
前記アバットメントの下側締結軸部が少なくとも２本の締結脚からなり、内部に切開部が形成された緩衝部と、
前記緩衝部の外面に形成された締結部と、
外力による締結軸部の過度な撓みを制限するように、前記締結脚の内側方向に突出し、前記締結部内の切開部の間隔ｄ２より狭い切開部の間隔ｄ１を有する変形制御部とを含むことを特徴とする、歯科用インプラント。
【請求項２】
上部に軸孔を有し、顎骨に植え立てられる固定体と、前記固定体の軸孔に挿入されて前記固定体と弾性的に結合される下側締結軸部及び補綴物が装着される上部装着部からなるアバットメントとを含む歯科用インプラントであって、
前記アバットメントの下側締結軸部が少なくとも２本の締結脚からなり、内部に第１切開部が形成された緩衝部と、
前記緩衝部の外面に形成された締結部と、
前記第１切開部の上部に第２切開部が形成され、前記第２切開部の間隔ｄ１が前記第１切開部の間隔ｄ２より狭く形成され、外力による締結軸部の過度な撓みを制限する変形制御部とを含むことを特徴とする、歯科用インプラント。
【請求項３】
前記緩衝部の外面一側に締結溝又は締結突起からなる締結部が形成され、前記締結軸部が結合される固定体の軸孔内面には対応する締結突起又は締結溝が形成され、締結軸部が軸孔に結合される場合、前記締結軸部と前記固定体は弾性的に結合されることを特徴とする、請求項１又は２に記載の歯科用インプラント。
【請求項４】
前記締結軸部の下部に締結部が形成され、締結部の上方に変形制御部が形成されることを特徴とする、請求項１又は２に記載の歯科用インプラント。
【請求項５】
前記締結軸部の下部に変形制御部が形成され、変形制御部の上方に締結部が形成されることを特徴とする、請求項１又は２に記載の歯科用インプラント。
【請求項６】
前記締結軸部の中間地点に締結部が形成され、締結部の上方と下方にそれぞれ変形制御部が形成されることを特徴とする、請求項１又は２に記載の歯科用インプラント。
【請求項７】
前記締結軸部の切開部の形態は、四角形、円形、楕円形、又は多角形であることを特徴とする、請求項１又は２に記載の歯科用インプラント。
【請求項８】
前記締結軸部は、上端部から下端部までその断面積が縮小するテーパー形構造に形成され、前記固定体の軸孔は締結軸部のテーパー構造に対応するテーパー構造の内周面が形成されることにより、前記締結軸部が前記固定体の軸孔内に容易に挿入されるように構成されることを特徴とする、請求項１又は２に記載の歯科用インプラント。
【発明の詳細な説明】
【技術分野】
【０００１】
本発明は人工歯牙に係わる歯科用インプラントに係り、より詳しくは人工歯牙が傾斜方向の外圧を分散させて外部衝撃をより一層効果的に緩衝させることができ、締結力が増大して安定的に使うことができ、耐久性を向上させるとともにインプラントの使用寿命を大きく延ばすことができる歯科用インプラントに関する。
【背景技術】
【０００２】
一般に、インプラント（Ｉｍｐｌａｎｔ）は喪失された自然歯牙の代替物そのものを言うとか、固定体を顎骨に植え込んで所定期間の間に顎骨と融合するようにした後、その上に締結部材と人工歯牙などの補綴物を固定することにより、歯牙の固有機能を回復させる歯科的な施術を言う。
【０００３】
一般的に使われるインプラントの場合には、顎骨に植え立てられる固定体と、前記固定体の上部軸孔にアバットメントの締結部とが螺合方式で結合される。
【０００４】
しかし、このような従来の螺糸式結合方式は、下部構造である固定体と上部構造であるアバットメントの結合が螺合にだけ寄り掛かるため、ネジの緩み、ネジの破切、補綴物の非審美性などの問題があった。
【０００５】
このような問題点を解消するために、大韓民国登録特許公報第１０−０６６８３６８号の“歯科用インプラント”は、図１に示したように、上部に軸孔１２が形成され、顎骨に植え立てられる固定体１０と、前記軸孔１２に挿入される形状記憶合金の締結脚２２が下部に形成され、前記締結脚２２を介して前記固定体１０に連結され、飲食物を噛むことができるようにするアバットメント２０とを含む歯科用インプラント１を提供している。
【０００６】
このような従来の歯科用インプラント１は、固定体１０の締結溝１４とアバットメント２０の締結突起２４が雄雌型に相補的に結合されることにより、ネジの緩み現象やネジの破裂現象を防止し、補綴物の審美性を確保することができる効果を得ることができる。
【０００７】
しかし、このような従来の歯科用インプラント１は、図１に示したように、外部から補綴物３０などを通じて横方向又は傾斜方向の外圧（Ｐ又はＰ’）を引き起こす咬合力がインプラントに加わる場合、ストレスがアバットメントの締結軸全体にわたって分散されないため、傾斜方向の圧力が加わる側の反対側、つまりアバットメント２０から伸びた締結脚２２の連結部Ｃに過度なストレスが集中し、このようなストレスが繰り返されることによって締結脚が亀裂されるとか破切され、或は固定体１０から締結脚２２が離脱される状況がたびたび発生し、ひいては固定体の一部に過度な応力が発生して、固定体と結合されている部位の歯槽骨の破壊を促進させることになる。
【０００８】
すなわち、形状記憶合金の締結脚２２は、固定体１０との弾力的な結合のために、その厚さを無制限厚く製作することができない状況なので、傾斜方向の外圧がインプラント１に加われば、傾斜方向の圧力が加わる側の反対側の締結脚部位で繰り返される過度な疲労荷重によってアバットメント２０の締結脚２２の連結部Ｃで急速に亀裂が発生し、結果として、アバットメント２０は固定体１０から破断分離されて脱落され、それによって耐久性及び使用寿命が格段に減少する問題点があり、持続的な傾斜方向の外圧によって締結脚の締結部が固定体の締結部位から離脱する場合がたびたび発生する。
【０００９】
また、補綴物３０に強い傾斜方向の外圧（Ｐ）が加わるとき、切開部全体が一定間隔で下方に開放している締結脚２２のタイプは衝撃緩和に限界があった。
【００１０】
このような問題点は従来の締結脚２２の独特な結合構造に起因する。すなわち、このような従来のアバットメント２０の締結突起２４は、図１に示したように、締結脚２２の下端で固定体１０の締結溝１４に結合される構造である。このような従来の構造においては、アバットメント２０の締結軸上にある締結突起２４がアバットメント２０と締結脚２２の連結部Ｃから大きな長さ（Ｌ）に位置する。
【００１１】
したがって、従来の制限された厚さを持つ締結脚２２はアバットメント２０の締結軸部位にある締結突起２４がアバットメント２０と締結脚２２の連結部Ｃから大きな長さ（Ｌ）を持つ片持ち梁（ｃａｎｔｉｌｅｖｅｒ）構造によって柔軟性を持つ構造である。このような柔軟性はアバットメント２０の締結脚に位置する締結突起２４を固定体１０の締結溝１４に易しく結合させることができる利点があるが、その一方には、装着された後には外力に対して安定的に抵抗することはできなくて外力を効果的に固定体の内面全体に均一に分散させることができず、アバットメントの上部から締結軸につながる連結部Ｃにストレスを集中させる作用をし、易しく脱落することができる欠点を持つものであった。
【００１２】
すなわち、このような従来の構造においては、固定体１０に対するアバットメント２０の安定的な締結力を持続的に保障することができない。
【００１３】
また、このような従来の構造は、締結脚２２が互いに隣接しないで、それぞれ別個に分離された構造であるので、外力が加わる場合、締結脚２２の相互間の応力伝達又は分散ができなく、外力は直ぐアバットメント２０の締結突起２４と固定体１０の締結溝１４の結合部分に伝達され、アバットメント２０と締結脚２２の連結部Ｃに大きな応力を加える問題点がある。
【００１４】
結果的に、このような従来の構造は、締結脚２２の連結部Ｃが大きな外力（Ｐ）を持続的に受けて構造的に脆弱になり、亀裂又は破損の状況をたびたび発生させる問題点がある。
【発明の概要】
【発明が解決しようとする課題】
【００１５】
本発明の目的は前記のような従来の問題点を解消させるために、アバットメントを固定体に締結させる締結軸部の構造を補強させることで、インプラントに加わる咬合力に対して堅固に支持することができるようにし、外圧をより一層効果的に固定体内の全面に分散させることで、緩衝効果を極大化させて、一部に応力が集中することを防止することができる歯科用インプラントを提供することにある。
【００１６】
そして、本発明の他の目的は、インプラントが施術された後には固定体に対するアバットメントの締結力が大きく増大して安定的に固定されることにより、インプラントの耐久性を向上させるとともに使用寿命を大きく延ばすことができる歯科用インプラントを提供することにある。
【課題を解決するための手段】
【００１７】
前記のような目的を達成するために、本発明の一実施例は、
上部に軸孔を有し、顎骨に植え立てられる固定体と、前記固定体の軸孔に挿入されて前記固定体と弾性的に結合される下側締結軸部及び補綴物が装着される上部装着部からなるアバットメントとを含む歯科用インプラントであって、
前記アバットメントの下側締結軸部が少なくとも２本の締結脚からなり、内部に切開部が形成された緩衝部と、
前記緩衝部の外面に形成された締結部と、
外力による締結軸部の過度な撓みを制限するように、前記締結脚の内側方向に突出し、前記締結部内の切開部の間隔ｄ２より狭い切開部の間隔ｄ１を有する変形制御部とを含む歯科用インプラントを提供する。
【００１８】
本発明の他の実施例は、
上部に軸孔を有し、顎骨に植え立てられる固定体と、前記固定体の軸孔に挿入されて前記固定体と弾性的に結合される下側締結軸部及び補綴物が装着される上部装着部からなるアバットメントとを含む歯科用インプラントであって、
前記アバットメントの下側締結軸部が少なくとも２本の締結脚からなり、内部に第１切開部が形成された緩衝部と、
前記緩衝部の外面に形成された締結部と、
前記第１切開部の上部に第２切開部が形成され、前記第２切開部の間隔ｄ１が前記第１切開部の間隔ｄ２より狭く形成され、外力による締結軸部の過度な撓みを制限する変形制御部とを含む歯科用インプラントを提供する。
【００１９】
好ましくは、前記緩衝部の外面一側に締結溝又は締結突起からなる締結部が形成され、前記締結軸部が結合される固定体の軸孔内面には対応する締結突起又は締結溝が形成され、締結軸部が軸孔に結合される場合、前記締結軸部と前記固定体は弾性的に結合される。
【００２０】
より好ましくは、前記締結軸部の下部に締結部が形成され、締結部の上方に変形制御部が形成される。
【００２１】
好ましくは、前記締結軸部の下部に変形制御部が形成され、変形制御部の上方に締結部が形成される。
【００２２】
好ましくは、前記締結軸部の中間地点に締結部が形成され、締結部の上方と下方にそれぞれ変形制御部が形成される。
【００２３】
最も好ましくは、前記締結部内の切開部の間隔ｄ２は０．４５〜１．０ｍｍであり、前記変形制御部の間隔ｄ１は０．１以下である。
【００２４】
好ましくは、前記締結軸部の切開部の形態は、四角形、円形、楕円形、又は多角形である。
【００２５】
より好ましくは、前記締結軸部は、上端部から下端部までその断面積が縮小するテーパー形構造に形成され、前記固定体の軸孔は締結軸部のテーパー構造に対応するテーパー構造の内周面が形成されることにより、前記締結軸部が前記固定体の軸孔内に容易に挿入されるように構成される。
【発明の効果】
【００２６】
本発明によれば、アバットメントの下側締結軸部に、少なくとも２本の締結脚からなり、内部に切開部を含む緩衝部が形成されるとともに、その緩衝部の外面に締結突起、締結溝又は締結段部からなる締結部が形成され、前記緩衝部の一部に外力による締結軸部の過度な撓みを制限するように切開部の内側に向かって形成された突出部を含む変形制御部を備えることにより、一定値以上の傾斜方向の圧力が加わったとき、変形制御部が互いに接触して咬合力を固定体の内面全体に最大限均一に分散させるように設計された、アバットメントの締結軸部をより柔軟に補強させた構造である。
【００２７】
したがって、本発明によれば、インプラントアバットメントの補綴物が装着される上部装着部上に外圧が加わってアバットメントの締結軸部に伝達されれば、変形制御部の突出部が先に互いに接触して、外圧は締結軸部の全面に分散され、緩衝効果を極大化して、外圧に対してインプラントのストレスを効果的に分散させ、インプラントを堅固に支持することができる。
【００２８】
そして、本発明によれば、インプラントが施術された後には、変形制御部が外圧による締結軸の過度な撓みを制限して、固定体の軸孔内での締結軸の締結力が大きく増大し、結果的に安定的に固定され、締結軸を介して外圧を充分に分散させることができ、アバットメントと締結脚の連結部に無理な力が加われないので、インプラントの耐久性を向上させるとともに使用寿命を大きく延ばすことができる効果が得られる。
【図面の簡単な説明】
【００２９】
【図１】従来の技術による締結脚構造において、外圧が加わったときの締結脚の動きと締結脚で亀裂が発生して耐久性が弱化する問題点を示す説明図である。
【図２】本発明による歯科用インプラントの分解斜視図である。
【図３】図３（ａ）〜（ｃ）は、本発明による歯科用インプラントに設けられた緩衝部の切開部が多様な構造及び数に形成されたものを示す断面図である。
【図４】図４（ａ）は、本発明による歯科用インプラントにおいて、アバットメントの締結軸部の締結脚の外面に締結突起がリング状に膨出し、固定体の軸孔内面には締結溝がリング状に凹設されて、互いに結合される状態を示す断面図であり、図４（ｂ）は、図４（ａ）に示した本発明による歯科用インプラントの結合断面図である。
【図５】図５（ａ）は、本発明による歯科用インプラントにおいて、アバットメントの締結軸部の締結脚の外面に締結溝がリング形状に凹設され、固定体の軸孔内面には締結突起がリング状に膨出して、互いに結合される状態を示す断面図であり、図５（ｂ）は、図５（ａ）に示した本発明による歯科用インプラントの結合断面図である。
【図６】本発明による歯科用インプラントの変形構造を示すもので、締結溝又は締結突起からなる締結部が締結軸の中間地点に形成され、変形制御部の第１及び第２突出部が形成された構造の結合断面図である。
【図７】本発明による歯科用インプラントの他の変形構造を示すもので、締結溝又は締結突起からなる締結部が締結軸の下端外側に形成され、変形制御部は締結軸の中間地点に形成された構造の結合断面図である。
【図８】本発明による歯科用インプラントのさらに他の変形構造を示す結合断面図である。
【発明を実施するための形態】
【００３０】
以下、本発明の好適な実施例を図面に基づいて詳細に説明する。まず、本明細書で使用される用語、締結軸部１２２はアバットメントの下部に設けられ、固定体の軸孔に挿入されることによってアバットメントと固定体を互いに締結させる締結軸全体を意味し、緩衝部１３０は前記締結軸部１２２が少なくとも２本の締結脚からなり、その内部に切開部１３２を形成することによって衝撃を緩衝させることができる部分を意味し、締結部は前記緩衝部の外面に形成されて固定体の対応締結部に直接締結される締結突起１５０又は締結溝１５２を意味する。
【００３１】
本発明による歯科用インプラント１００は、図２に全体的に示したように、上部に軸孔１１２が形成され、顎骨に植え立てられる固定体１１０を含み、前記固定体１１０の軸孔１１２に挿入されて前記固定体１１０と弾性的に結合される下側締結軸部１２２と補綴物が装着される上部装着部１２４とからなるアバットメント１２０を含む。
【００３２】
そして、本発明による歯科用インプラント１００は、前記アバットメント１２０の下側締結軸部１２２に、少なくとも２本の締結脚からなり、内部に一側が開放した少なくとも一つの切開部１３２を含む緩衝部１３０が設けられる。
【００３３】
このような緩衝部１３０は、切開部１３２が、例えば四角形、円形、楕円形、又は多角形に構成されたものであることができるが、好ましくは製作し易い四角形断面になる。
【００３４】
また、このような緩衝部１３０は少なくとも２本の締結脚からなり、その締結脚の間に切開部１３２が少なくとも一つ形成できる。
【００３５】
すなわち、緩衝部１３０の切開部１３２は、図３ａに図２のＡ−Ａについての断面図として示したように、一つの一字形に２分割された断面であるとか、図３ｂに示したように、断面を３分割した断面であるとか、図３ｃに示したように、十字形に４分割した断面であることができる。
【００３６】
このように、本発明に備えられたアバットメント１２０はその全体が好ましくは形状記憶合金から製作されるとか、或は少なくともアバットメント１２０の締結軸部１２２が部分的に形状記憶合金から製作されることが好ましい。
【００３７】
また、アバットメント１２０の全体又は締結軸部１２２が形状記憶合金と類似した弾性及び強度を持つ炭素纎維強化プラスチックのような材質から形成されることもできる。
【００３８】
すなわち、アバットメント１２０に使われる形状記憶合金は通常に当該分野に知られた合金材料で、所望の形状を記憶していてから適正な温度になればその形状に復元する特性を持つ自己回復性構成物質の一種である合金を言う。このような形状記憶合金には、Ｔｉ−Ｎｉ系合金、Ｃｕ−Ｚｎ−Ａｌ系合金及びＣｏ−Ｔｉ−Ｎｉ系合金などがある。
【００３９】
そして、本発明による歯科用インプラント１００は、外力に対する締結軸部１２２の過度な撓みを制限するように切開部の内側に向かって形成された突出部１４２を含む変形制御部１４０を備えている。
【００４０】
このような変形制御部１４０の突出部１４２は締結脚の内側方向に突設され、その間隔ｄ１が締結溝又は締結突起が形成された締結部内の切開部１３２の間隔ｄ２より狭く形成された構造である。
【００４１】
図４ａ及び図４ｂに示したように、前記締結軸部１２２は、緩衝部１３０の外面に形成された締結突起１５０が締結軸部１２２の中間地点に形成され、前記変形制御部１４０の突出部１４２は締結軸部１２２の下端から切開部１３２の内側に形成される。
【００４２】
このような構造において、前記締結突起や締結溝が形成された部位の切開部１３２の間隔ｄ２は０．４５〜１．０ｍｍが好ましく、前記変形制御部１４０の突出部１４２の間隔ｄ１は０．１ｍｍ以下が好ましい。
【００４３】
このような本発明の構造において、締結突起や締結溝が位置する締結部から前記変形制御部１４０の突出部１４２までの距離（Ｋ１）又は前記締結部からアバットメントと締結脚の連結部位Ｃまでの距離（Ｋ２）は、従来技術の構造においてアバットメント２０の締結突起２４からアバットメント２０と締結脚２２の連結部位Ｃまでの大きな長さ（Ｌ）に比べ、著しく短い長さである（Ｋ１＜Ｌ、Ｋ２＜Ｌ）。
【００４４】
したがって、このような構造は従来の構造に比べて短い締結脚を持つ効果を提供する。このような構造により、図４ａに示したように、アバットメント１２０の締結軸部１２２が固定体１１０に結合される場合、締結軸部１２２の変形が最小になってアバットメント１２０の締結軸部１２２が固定体１１０の軸孔１１２に安定的に結合され、図４ｂに示したように、一応アバットメント１２０の締結軸部１２２が固定体１１０に結合された状態では、アバットメント１２０に外圧（Ｐ）が加わる場合にも締結軸部１２２の変形が大きく制限される。
【００４５】
一方、本発明による歯科用インプラント１００は、図５ａ及び図５ｂに示したように、前記締結軸部１２２の外面には締結突起１５０の代わりに締結溝１５２が形成され、その締結軸部１２２が結合される固定体１１０の軸孔１１２の内面には、これに対応する締結突起１５０が形成されることにより、締結軸部１２２が軸孔１１２に結合される場合、前記締結軸部１２２と前記固定体１１０は互いに弾性的に結合できる。
【００４６】
前記のように構成された本発明による歯科用インプラント１００は、図４ａに示したように、アバットメント１２０の締結軸部１２２を固定体１１０の軸孔１１２に挿入すれば、締結軸部１２２に設けられた締結突起１５０によってアバットメント１２０の締結軸部１２２の外面が内側に撓み、緩衝部１３０の切開部１３２は締結軸部１２２が内側に撓むことができる余裕空間を提供する。
【００４７】
そして、このような状態で、軸孔１１２の締結溝１５２に締結軸部１２２の締結突起１５０が一致すれば、図４ｂに示したように、締結軸部１２２の弾性復元力によって締結突起１５０と締結溝１５２が互いに結合し、アバットメント１２０と固定体１１０の間で安定に結合される。
【００４８】
このような状態で、インプラント１００に外部から力又は衝撃力が加われば、このような外力又は外圧（Ｐ）はアバットメント１２０の締結軸部１２２に伝達される。このような外力又は外圧（Ｐ）によってアバットメント１２０の締結軸部１２２が撓む変形が生じれば、互いに隣接して位置する変形制御部１４０の突出部１４２が直ぐ接触して支持され、外力又は外圧（Ｐ）は互いに接触した突出部１４２の間に伝達され、締結軸部１２２の全面に分散される。
【００４９】
したがって、インプラント１００に加わった大きな外圧（Ｐ）がアバットメント１２０の締結軸部１２２の特定部分に集中しないで、緩衝効果を極大化してインプラント１００を堅固に支持する。
【００５０】
そして、本発明は、このような過程で、変形制御部１４０が締結軸部１２２の過度な撓みを制限する。これは、締結突起や締結溝が位置する締結部から前記変形制御部１４０の突出部１４２までの距離（Ｋ１）又は前記締結部からアバットメントと締結脚の連結部位Ｃまでの距離（Ｋ２）が従来の構造においてアバットメント２０の締結突起２４からアバットメント２０と締結脚２２の連結部位Ｃまでの大きな長さ（Ｌ）に比べて著しく短い構造を提供するからである。
【００５１】
このような短い長さ（Ｋ１、Ｋ２）の構造においては、変形制御部１４０の突出部１４２が互いに接触支持して外力による締結軸部１２２の過度な変形を抑制するため、固定体１１０の軸孔１１２内での締結軸部１２２の締結力が大きく増大し、結果的に安定的に固定される。
【００５２】
このような本発明の支持構造は、図５ａ及び図５ｂに示したように、締結軸部１２２の外面に締結溝１５２が形成され、固定体１１０の軸孔１１２の内周面にはこれに対応して締結突起１５０が形成された構造にも同様に適用される。
【００５３】
より好ましくは、前記締結軸部１２２は上端部から下端部までその断面積が縮小するテーパー形の構造に形成され、前記固定体１１０の軸孔１１２は締結軸部１２２のテーパー構造に対応するテーパー形構造の内周面を形成することにより、前記締結軸部が前記固定体の軸孔内に容易に挿入されるように構成することができる。
【００５４】
図６には本発明の変形構造が示されている。
【００５５】
このような変形構造は、締結軸部１２２の外面に形成された締結部、つまり締結溝１５２又は締結突起１５０が締結軸部１２２の中間地点に形成され、変形制御部１４０は締結部１５０、１５２の下部側から切開部１３２の内側に第１突出部１４２ａが形成され、前記締結部１５０、１５２の上部側から切開部１３２の内側に第２突出部１４２ｂが形成された構造である。
【００５６】
このような構造においても、本発明は、変形制御部１４０の第１及び第２突出部１４２ａ、１４２ｂが互いに接触支持されることで、外力による締結軸部１２２の過度な変形を抑制し、結果的にインプラント１００に加わった外圧（Ｐ）は互いに接触した第１及び第２突出部１４２ａ、１４２ｂの間で支持され、締結軸部１２２の全面に分散される。
【００５７】
ここで、第１突出部１４２ａの間隔ｄ１は第２突出部１４２ｂの間隔ｄ１と同一に適用できる。したがって、このような変形構造によって固定体１１０の軸孔１１２内での締結軸部１２２の締結力が大きく増大し、結果的に安定的に固定される。また、第１突出部１４２ａの間隔と第２突出部１４２ｂの間隔は互いに違うように適用できるのはいうまでもない。
【００５８】
そして、図７には本発明の他の変形構造が示されている。
【００５９】
このような構造において、本発明は、前記締結軸部１２２の外面に形成された締結溝１５２又は締結突起１５０が、従来の構造と同様に、締結軸部１２２の下端外側に形成され、前記変形制御部１４０は締結軸部１２２の中間地点から切開部１３２の内側に突出部１４２が形成された構造である。
【００６０】
このような構造においても、締結軸部１２２の締結突起１５０において、前記変形制御部１４０の突出部１４２までの長さ（Ｋ）は、従来の構造においてアバットメント１２０の締結突起２４とアバットメント１２０と締結脚２２の連結部Ｃの間の大きな長さ（Ｌ）に比べて著しく短くなるため、外圧（Ｐ）が加われば、変形制御部１４０の突出部１４２が互いに接触支持されることにより、外力による締結軸部１２２の過度な変形を抑制し、結果的に固定体１１０の軸孔１１２内での締結軸部１２２の締結力が大きく増大して安定的に固定される。
【００６１】
このような本発明の構造において、インプラントに外圧（Ｐ）が加わってアバットメント１２０の締結軸部１２２を通じて伝達されれば、より狭い間隔ｄ１で離隔した変形制御部１４０の突出部１４２は締結軸部１２２の小さな変形によっても互いに接触し、外力又は外圧（Ｐ）は締結軸部１２２の全面に分散され、特定の部分に集中しない。
【００６２】
したがって、このような構造は、外力による締結軸部１２２の変形を大きく制限し、結果的に固定体１１０の軸孔１１２内での締結軸部１２２の締結力を大きく増大して安定的に固定させ、インプラント１００の耐久性を向上させるとともに使用寿命を大きく延ばすことができる。
【００６３】
一方、図８には本発明のさらに他の変形構造が示されている。
【００６４】
図８に示したように、本発明のさらに他の実施例は、前記アバットメントの下側締結軸部に形成された第１切開部２３２ａの上部に第２切開部２３２ｂが形成され、前記第２切開部の間隔ｄ１が前記第１切開部の間隔ｄ２より狭く形成される変形制御部２４０を備えることで、外力による締結軸部の過度な撓みを制限するように構成されたものである。
【００６５】
また、図９には本発明のさらに他の変形構造が示されている。
【００６６】
図９に示したように、本発明のさらに他の実施例は、前記アバットメントの下側締結軸部に形成された第１切開部２３２ａの上部に第２切開部２３２ｂが形成され、前記第２切開部の間隔ｄ１が前記第１切開部の間隔ｄ２より狭く形成される変形制御部２４０を備えるとともに、締結脚の端部には前記第１切開部２３２ａの内側に向かって突出部１４２が形成されることで、外力による締結軸部の過度な撓みを制限するように構成されたものである。
【００６７】
以上、本発明を添付図面に基づいて特定の実施例に関連して詳細に説明したが、本発明はこのような特定の構造に限定されるものではない。当該分野で通常の知識を持った者であれば、以下の特許請求範囲に記載された本発明の技術思想及び権利範囲を逸脱しなくても本発明を多様に修正又は変更させることができるであろう。例えば、前記緩衝部１３０の切開部１３２の間隔ｄ２、及び変形制御部１４０の突出部１４２の間隔ｄ１は締結軸部１２２の材料特性によって前述した数値範囲の外に変更可能であろう。しかし、そのような単純な修正又は変形の構造はいずれも本発明の権利範囲内に属するものであることを予め明らかにしておく。
【図１】
2016520368.tif 000003
【図２】
2016520368.tif 000004
【図３（ａ）】
2016520368.tif 000005
【図３（ｂ）】
2016520368.tif 000006
【図３（ｃ）】
2016520368.tif 000007
【図４（ａ）】
2016520368.tif 000008
【図４（ｂ）】
2016520368.tif 000009
【図５（ａ）】
2016520368.tif 000010
【図５（ｂ）】
2016520368.tif 000011
【図６】
2016520368.tif 000012
【図７】
2016520368.tif 000013
【図８】
2016520368.tif 000014
【図９】
2016520368.tif 000015
【国際調査報告】
2016520368.tif 000016
2016520368.tif 000017
2016520368.tif 000018
2016520368.tif 000019